(57)【特許請求の範囲】
【請求項１】
下部位置で水平に搬送する下部水平部と、上部位置で水平に搬送する上部水平部と、これら下部水平部と上部水平部との間で垂直に搬送する垂直部とを連続した経路として形成した内コンベヤベルトと、この内コンベヤベルトの前記垂直部を中心とした前記下部水平部と前記上部水平部の一部の端部位置を往復経路として該内コンベヤベルトの搬送面に沿って架設した外コンベヤベルトと、を備えた垂直コンベヤにおいて、
前記内コンベヤベルトの下部水平部の復路と往路の反転位置直前の該復路に、下方へ略垂直状に屈曲した垂直搬送部を形成し、
前記下部水平部の下方で、前記垂直部の下方位置に、前記内コンベヤベルトの幅両端から上端の各々がはみ出すように該上端同士が離間し、かつ下端の各々が前記内コンベヤベルトの幅寸法内に収まるように該下端同士が幅中央方向に接近するよう傾斜状に配置された対をなす回収板を設けると共に、
この対をなす回収板の下端同士の下方位置で、前記垂直部の下方位置から前記垂直搬送部手前まで搬送する回収水平部と、前記垂直搬送部に沿って前記水平部の往路まで搬送する回収垂直部とを連続した経路とした回収コンベヤベルトを設けた
ことを特徴とする垂直コンベヤ。
【請求項２】
回収板を設けることに代えて、回収コンベヤベルトを、内コンベヤベルトの幅より幅を広くし、かつ回収水平部では幅両端から各々幅中央に向かって下方に傾斜させていることを特徴とする請求項１記載の垂直コンベヤ。
【発明の詳細な説明】
【技術分野】
【０００１】
本発明は、垂直部及び下部水平部からこぼれた搬送物（土砂等）を、立坑コンベヤの下に堆積させることなく、かつ人力を介さず、連続的に回収することができ、かつ、設置するためのスペースを別途に確保する必要がなく、全体構成がシンプルで、クリーニングやメンテナンスが容易で、そのうえ、コストを抑えることができる垂直コンベヤに関するものである。
【背景技術】
【０００２】
土木工事、トンネル工事（シールド工法、山岳工事法等）特にシールド工事は、シールド機械を使用して効率よく地盤を掘削してトンネルを築造でき、地上に与える影響の少ない優れた工法として多く採用されている。シールド機械が掘削した土砂は鋼車やベルトコンベヤを用いてトンネルの中を通って坑内から立坑の下まで搬送される。さらに、立坑の下から地上までは鋼車やバケットとクレーンの組み合わせにより地上まで運搬する方法、スキップにより運搬する方法、バケット式のエレベータにより運搬する方法など多くの手法が使用されてきた。
【０００３】
しかし、上記の手法では、土砂の運搬能力には一定の限界があるので、立坑の大深度化やシールドトンネルの大断面化が進むにつれて、必要となる土砂運搬に求められる運搬能力の大容量化には対応できなくなってきており、新たな運搬手段の開発が求められてきた。そこで近年、この要望に応えるものとして、例えば特開２０１２−１４４３４０号公報（特許文献１）に示されるように、２種類のベルトを用い、このベルトの間に土砂を挟み込みながら連続的に運搬することができる垂直コンベヤ等が開発され、各種土木工事に採用されるようになった。
【０００４】
特許文献１のような垂直コンベヤは、シールド工事などで排出される掘削土砂を、立坑の下から地上まで安全で効率よく、連続的に運搬することができる装置であるが、現状では、２種類のベルトによって土砂を挟み込み運搬する際に、主にベルト同士の隙間から土砂がこぼれることを完全に無くすことができないという問題がある。
【０００５】
なお、垂直コンベヤから土砂がこぼれる範囲は、垂直コンベヤの裾付平面の範囲内に限定される。これまでは、単位時間当たりの運搬量が５０〜１００ｍ3 ／ｈと比較的少なかったことと、こぼれる量は運搬量の数％程度とわずかな割合であったことから、こぼれた土砂を作業員がスコップ等で回収（再度コンベヤ上に載せて運搬する）処理するという簡易的な対処が採用されていた。
【０００６】
ところが、人力による回収処理は、土砂が落下する位置での作業なので、作業員に（比較的大きな）石が直撃する可能性が伴う危険で劣悪な環境であり、人力で回収するとすれば垂直コンベヤを止める必要があり能率が悪く、労働人口の減少や労働者の高齢化に伴い、こぼれた土砂の回収に作業人員を割り当てることも困難であるといった問題がある。
【０００７】
こぼれた土砂を回収しない場合、立坑の下から土砂が積み上がり、垂直コンベヤのベルトやローラの駆動に悪影響が生じ、機械の故障及び（電気トラブル等も含めた）トラブル等の原因となるばかりでなく、立坑内部にある他の機器へも悪影響が生じ、その結果、最悪な状況としてはシールド掘進作業の停止も余儀なくされるような重大な問題の原因となる。
【０００８】
一方、例えば単位時間当たりの運搬量が上記より多い場合は、こぼれる量も上記より多く、垂直コンベヤの下方周辺に空いたスペースがあれば、こぼれた土砂をある程度堆積ささせることができるならば、所定量になるまで放置して堆積させてパワーショベル等の重機や積込機械を使用して回収していた。
【０００９】
しかし、垂直コンベヤの下方周辺に重機や積込機械を入れるほどの空間があるということは、無駄な空間が存在することであり、築造する立坑の大きさとトンネルの大きさ等の施工条件がうまく整合しないと大きな空間を確保することは不可能となる。
【００１０】
仮に、垂直コンベヤの下方周辺において大きな空間を設けることができない施工条件の場合には立坑の深さを深くするなどの構造を変更して、垂直コンベヤの下方に空間を設けなければならず、シールド掘進自体とは別の作業に多大な費用が生じることになる。
【００１１】
また、人力、重機、積込機械のいずれにおいても、回収した土砂は垂直コンベヤに再度、積み込んで排出することになるので、土砂が多量であれば垂直コンベヤを稼働しつつ作業しなくてはならないが、そうすると安全性が確保できないということになる。
【００１２】
安全性を確保するために、垂直コンベヤを土砂回収のためだけに稼働したり止めたりしようとすれば、シールド掘削作業の全体工事の休止時に行うこととなるが、シールド掘削作業が連続して行われている場合は、日曜日などに短時間で集中的に行わなければならず、労働者もそれ相応に過酷な条件を強いられることとなる。
【００１３】
以上のように、垂直コンベヤからこぼれた土砂を回収する作業は、非常に多くの制約があり、適宜、適切に処理することが困難で、場合によってはシールド掘削作業を一時的に休止してでも回収作業を優先させなければならなくなり、その結果、シールド掘削作業全体の効率が低下するといった弊害をもたらしていた。
【先行技術文献】
【特許文献】
【００１４】
【特許文献１】特開２０１２−１４４３４０号公報
【発明の概要】
【発明が解決しようとする課題】
【００１５】
解決しようとする問題は、従来の垂直コンベヤは、垂直方向の２枚のベルト間から土砂がこぼれて堆積した土砂を、作業スペースを無駄にすることなく適切に回収するための配慮がなかった点、である。
【課題を解決するための手段】
【００１６】
上記課題を解決するため、本発明は、下部位置で水平に搬送する下部水平部と、上部位置で水平に搬送する上部水平部と、これら下部水平部と上部水平部との間で垂直に搬送する垂直部とを連続した経路として形成した内コンベヤベルトと、この内コンベヤベルトの前記垂直部を中心とした前記下部水平部と前記上部水平部の一部の端部位置を往復経路として該内コンベヤベルトの搬送面に沿って架設した外コンベヤベルトと、を備えた垂直コンベヤにおいて、前記内コンベヤベルトの下部水平部の復路と往路の反転位置直前の該復路に、下方へ略垂直状に屈曲した垂直搬送部を形成し、前記下部水平部の下方で、前記垂直部の下方位置に、前記内コンベヤベルトの幅両端から上端の各々がはみ出すように該上端同士が離間し、かつ下端の各々が前記内コンベヤベルトの幅寸法内に収まるように該下端同士が幅中央方向に接近するよう傾斜状に配置された対をなす回収板を設けると共に、この対をなす回収板の下端同士の下方位置で、前記垂直部の下方位置から前記垂直搬送部手前まで搬送する回収水平部と、前記垂直搬送部に沿って前記水平部の往路まで搬送する回収垂直部とを連続した経路とした回収コンベヤベルトを設けることとした。
【発明の効果】
【００１７】
上記構成の垂直コンベヤは、内コンベヤベルトと外コンベヤベルトとに挟まれて垂直部を運搬される土砂が該内コンベヤベルトと該外コンベヤベルトの間からこぼれても、この垂直部の下方において回収板により回収コンベヤベルト上に集められ、該回収コンベヤベルトの回収水平部を介して、内コンベヤベルトの垂直搬送部と該回収コンベヤベルトの回収垂直部とに挟まれて、内コンベヤベルトの水平部の往路（搬送面）に戻されるから、人力を介さず、かつ垂直コンベヤの稼働と共にこぼれた土砂の回収を省スペースにて連続的に行うことができる。
【図面の簡単な説明】
【００１８】
【図１】本発明の垂直コンベヤの概略構成を示す図である。
【図２】本発明の垂直コンベヤの図１のＡ−Ａ線断面図である。
【図３】本発明の垂直コンベヤの図１のＢ−Ｂ線断面図である。
【図４】本発明の垂直コンベヤの図１の下部水平枠を省略したＣ部拡大図である。
【図５】本発明の垂直コンベヤの他例を示す図２様の部分断面図である。
【発明を実施するための形態】
【００１９】
本発明の垂直コンベヤは、垂直方向の２枚のベルト間からこぼれて堆積する土砂を、効率よく、また、人力を介さず、そのうえ作業スペースを無駄にすることなく回収することができていなかった点を、内コンベヤベルトと外コンベヤベルトの垂直部の下方に、垂直部からこぼれた土砂を受ける対をなす回収板を設けると共に対をなす回収板で集めた土砂を内コンベヤベルトに形成した垂直搬送部へ運搬する回収水平部と、該垂直運搬部に沿って該内コンベヤベルトの往路へ運搬する回収垂直部を経路に有する回収コンベヤベルトを設けることで解消した。
【００２０】
また、本発明の垂直コンベヤは、上記の回収板を設けることに代えて、回収コンベヤベルトを、内コンベヤベルトの幅より幅を広くし、かつ回収水平部では幅両端から各々幅中央に向かって下方に傾斜させていてもよい。こうすることで高さ方向の寸法を小さくすることができる他、回収板を設けるための支持の部材（枠体）等を省略することができる。
【実施例】
【００２１】
上記形態のより具体的な実施例について図１〜図４を用いて説明する。図において、１は、地下で工事中のトンネル抗内から排出された土砂を立坑（垂直部分）を経て、地上へ排出するものであって、この立坑において地下から地上へ垂直方向へ土砂を搬送する際にこぼれる土砂を回収して立坑下部に堆積しないようにする本発明の垂直コンベヤであり、例えば次のように構成している。
【００２２】
２は、下部位置、例えばシールド掘削工法における立坑の地下側に水平に設けた下部水平枠である。３は、上部位置、例えば地上側に水平に設けた上部水平枠である。４は、これら下部水平枠２と上部水平枠３との間に設ける垂直枠である。
【００２３】
これら、下部水平枠２、上部水平枠３、垂直枠４は、各々が連結されて垂直コンベヤ１の全体構造におけるフレームとなる。なお、下部水平枠２、上部水平枠３、垂直枠４は、実際には、工事規模によって適宜調整するため、図示においては、後述する内コンベヤベルト５と外コンベヤベルト６の架設状況が把握できる程度に簡略化して示している。
【００２４】
５は、下部水平枠２、垂直枠４、上部水平枠３とに亘って架設され、この順を往路とし、上部水平枠３、垂直枠４、下部水平枠２を復路とする内コンベヤベルトである。なお、内コンベヤベルト５において、下部水平枠２の経路を内コンベヤベルト５の下部水平部、上部水平枠３の経路を内コンベヤベルト５の上部水平部、垂直枠４の経路を内コンベヤベルト５の垂直部、と言う。
【００２５】
この内コンベヤベルト５の上部水平部には往路から復路へ反転させるドライブプーリであるヘッドプーリ５１が不図示の動力と共に設けられ、一方内コンベヤベルト５の下部水平部には復路から往路へ反転させるアイドラプーリであるテールプーリ５２が設けられている。さらに、内コンベヤベルト５の下部水平部、垂直部、上部水平部の各部間の移行位置にはベンドプーリ（参照番号無）が設けられている。なお、スナッププーリ、テンションプーリ、リターンローラ、など、ベルトコンベヤの構成部材は図示を省略すると共に参照番号を付さず、説明も割愛する。
【００２６】
さらに、内コンベヤベルト５は、復路における下部水平部で、復路から往路への反転位置の手前、すなわちエンドプーリ５２の手前には、該復路を下方へ曲折した垂直搬送部５Ａが形成されている。
【００２７】
６は、垂直枠４を中心とした下部水平枠２と上部水平枠３の一部の端部位置で内コンベヤベルト５に沿って架設された外コンベヤベルトである。なお、外コンベヤベルト６も、内コンベヤベルト５と同じく、下部水平枠２の一部にかかる経路を外コンベヤベルト６の下部水平部と、上部水平枠３の一部にかかる経路を外コンベヤベルト６の上部水平部と、垂直枠４の経路を外コンベヤベルト６の垂直部、と言う。
【００２８】
この外コンベヤベルト６の上部水平部には往路から復路へ反転させるドライブプーリであるヘッドプーリ６１が不図示の動力と共に設けられ、一方、外コンベヤベルト６の下部水平部６ａには復路から往路へ反転させるアイドラプーリであるテールプーリ６２が設けられている。さらに、下部水平部、垂直部、上部水平部の各部間の移行位置にはベンドプーリ（参照番号無）が設けられている。なお、スナッププーリ、テンションプーリ、リターンローラ、など、ベルトコンベヤの構成部材は図示を省略すると共に参照番号を付さず、説明も割愛する。
【００２９】
内コンベヤベルト５と外コンベヤベルト６は、垂直部において密着するように設けられており、詳細には内コンベヤベルト５の下部水平部において垂直部の直前で外コンベヤベルト６の下部水平部が接触し、垂直部を経て、垂直部の直後に、内コンベヤベルト５の上部水平部から外コンベヤベルト６の上部水平部が離間するように構成されている。
【００３０】
７は、内コンベヤベルト５及び外コンベヤベルト６の垂直部を架設する垂直枠４の下方位置かつ下部水平部を架設する下部水平枠２の下方位置に設けられた対をなす回収板であり、本例では垂直枠４の下方位置から内コンベヤベルトの垂直搬送部５Ａの直前まで設けられている。この対をなす回収板７は、本例では例えば下部水平枠２の長手方向と直交した幅方向の両端から各々の上端がはみ出すように離間すると共に下端が内コンベヤベルト５の幅寸法内に収まるように該幅中央方向に接近した傾斜状に配置されている。
【００３１】
８は、対をなす回収板７の下端同士の下方位置から内コンベヤベルト５の垂直搬送部５Ａの手前まで搬送する回収水平部８Ａと、該垂直搬送部５Ａに沿って内コンベヤベルト５の下部水平部における往路まで搬送する回収垂直部８Ｂとを連続した経路とした回収コンベヤベルトである。
【００３２】
回収コンベヤベルト８の回収垂直部８Ａは、内コンベヤベルト５における垂直搬送部５Ａを形成するベンドプーリ及びテールプール６２により、該垂直搬送部５Ａと密着するようにして構成されている。また、回収コンベヤベルト８は、内コンベヤベルト５（及び外コンベヤベルト６）と同期して稼働する。
【００３３】
９は、トンネル抗内で排出された土砂を該坑内から運搬する排出コンベヤである。坑内から土砂等を運搬するには各種フィーダを用いる場合もあるが、本例ではコンベヤとして説明する。また、本例では、図示紙面奥方向に工事中トンネルの抗内から排出された土砂が排出コンベヤ９に搬送されて内コンベヤベルト５の下部水平部５ａに運搬される例にて説明する。
【００３４】
上記構成の垂直コンベヤ１における、内コンベヤベルト５、外コンベヤベルト６、及び回収コンベヤベルト８の動作について説明する。排出コンベヤ９から運搬された土砂は内コンベヤベルト５の下部水平部に排出される。垂直コンベヤ１は、内コンベヤベルト５の下部水平部の搬送方向途中から、垂直部を経て、垂直部の直後の上部水平部の搬送方向途中で分離するに至るまで外コンベヤベルト６が内コンベヤベルト５に密着した状態で、駆動される。
【００３５】
内コンベヤベルト５及び外コンベヤベルト６の垂直部で挟まれた土砂は、所定の割合でこぼれるが、こぼれた土砂は、垂直枠４下方に位置する回収板７で受けられて、回収コンベヤベルト８の回収水平部８Ａに集められる。回収コンベヤベルト８の回収水平部８Ａで搬送された土砂は、（内コンベヤベルト５の）垂直搬送部５Ａと（回収コンベヤベルト８の）回収垂直部８Ｂに挟まれて内コンベヤベルト５の下部水平部の搬送面に戻される。
【００３６】
本発明の垂直コンベヤ１は、上記のとおり、垂直部及び下部水平部からこぼれた土砂を、立坑で堆積させることなく、かつ人力を介さず、連続的に回収することができるが、その他に、下部水平部のテールプーリ５２側端部にある垂直搬送部５Ａにおいて土砂を挟み込んで回収するので、回収コンベヤベルト８の架設長さが比較的短くてよく、垂直搬送部５Ａ及び回収垂直部８Ｂの揚程も比較的小さくてよく、よって、回収板７を含めた回収コンベヤベルト８を設置するためのスペースを別途に設ける必要がないという利点もある。
【００３７】
さらに、本発明の垂直コンベヤ１は、回収コンベヤベルト８の架設長さが比較的短いこと、垂直搬送部５Ａ及び回収垂直部８Ｂの揚程も比較的小さいことから、回収コンベヤベルト８の動力を、出力の比較的小さいものとすることができ、また、回収コンベヤベルト８は通常の平ベルトを採用することができると共に全体構成がシンプルであるため、クリーニングやメンテナンスが容易で、そのうえ、前記維持や保守コストを含めた全体のコストを抑えることができるといった利点もある。
【００３８】
また、本発明の垂直コンベヤ１は、上記構成において、回収板７を省略することも可能である。回収板７を省略する場合、図５に示すように、回収コンベヤベルト８を、内コンベヤベルト５の幅より幅を広くし、かつ回収水平部８Ａでは幅両端から各々幅中央に向かって下方に傾斜させればよい。
【００３９】
こうすることで、回収板７を支持する枠体や治具が不要となると共に、該回収板７を傾斜状に配置するための高さ方向のスペースが不要となる点で、図１〜図４までで説明した実施例構成に較べて、より一層のコンパクト化を図ることができると共に、低コスト化が可能となる。
【００４０】
このように、本発明の垂直コンベヤ１は、内コンベヤベルト５上に堆積した土砂を垂直部において外コンベヤベルト６と共働して上方へ垂直に搬送する機能が主体とされる該内コンベヤベルト５に、さらに垂直部及び下部水平部からこぼれた土砂を回収する機能を付加した構成としている。この構成によれば、垂直コンベヤ１全体の機能が向上し、別途装備しなければならないコンベヤ等を不要とし、合理的な機構となることから、結果としてこぼれた土砂の回収に要する動力を小さくすることができると共に、垂直コンベヤ１を設置するために要するスペースも非常に小さくなるため、設置する場合の制約条件も緩和することができる。
【符号の説明】
【００４１】
１  垂直コンベヤ
２  下部水平枠（下部水平部）
３  上部水平枠（上部水平部）
４  垂直枠（垂直部）
５  内コンベヤベルト
５Ａ  垂直搬送部
６  外コンベヤベルト
７  回収板
８  回収コンベヤベルト
８Ａ  回収水平部
８Ｂ  回収垂直部
【図１】
0006309045.tif 000002
【図２】
0006309045.tif 000003
【図３】
0006309045.tif 000004
【図４】
0006309045.tif 000005
【図５】
0006309045.tif 000006